(57)【要約】【課題】洗濯直後の衣服を迅速に乾燥させ、当該衣服にハンガーの跡が残らず、衣服に容易に装着できるハンガーを提供すること。【解決手段】可撓性もしくは弾性材で左右一対の腕部をＶもしくはＵ字状に成型し、当該左右の腕部の連結部に、吊り下げ部のフック３ａを形成したことを特徴とするハンガー。【選択図】図１
2008264246.tif 000002
【特許請求の範囲】
【請求項１】
可撓性もしくは弾性材で左右一対の腕部をＶもしくはＵ字状に成型し、当該左右の腕部の連結部に、吊り下げ部のフックを形成したことを特徴とするハンガー。
【請求項２】
上記左右一対の腕部が、可撓性部材もしくは弾性部材で成型された請求項１に記載のハンガー。
【請求項３】
上記吊り下げ用のフックの位置が、平面視で上記VまたはU字の両腕の中央の線上で連結部より先端側の位置、正面視では両腕より上の位置である請求項１、２のいずれかに記載のハンガー。
【請求項４】
上記左右一対の腕部の連結部が、上記ＶもしくはＵ字状で形成される平面に対して垂直な軸で形成され、上記左右一対の腕部が当該軸に対して回動可能となるように連結された請求項１に記載のハンガー。
【請求項５】
上記吊り下げ用のフックの位置が、平面視で上記VまたはU字の両腕の中央の線上で連結部２より先端側の位置、正面視では両腕より上の位置であり、上記フックと軸が一体に形成された請求項４に記載のハンガー。
【請求項６】
上記腕部の長さが衣服の肩幅の半分の長さと袖丈とを加算した長さ以上である
請求項１〜５のいずれかに記載のハンガー。
【発明の詳細な説明】
【技術分野】
【０００１】
本発明は、ハンガーに関し、詳しくは、洗濯直後の衣服を迅速に乾燥させ、当該衣服にハンガーの跡が残らず、衣服に容易に装着できるハンガーに関する。
【背景技術】
【０００２】
Ｔシャツのように首部は開いているが前面は塞がっている衣服（以下、とっくり衣服と称する）をハンガーに装着する（または、掛ける）場合、ハンガーの左右の腕部の幅が当該とっくり衣服の襟幅（衣服の襟の幅）よりも長いため、そのままでは、当該ハンガーを当該とっくり衣服に装着することはできない。そこで、通常、上記とっくり衣服の襟（衣服の首周りの部分）を無理に引っ張ったり引き伸ばしたりして、とっくり衣服の襟幅を広げてからハンガーをとっくり衣服に通し装着する。そのような方法を数回繰り返すと、とっくり衣服の襟幅は広がったままの状態となり、とっくり衣服の形崩れを起こす原因となる。
【０００３】
また、市場に流通しているハンガーの左右の腕部の幅は、通常、どのような衣服でも当該ハンガーが装着できるように、衣服の肩幅（衣服の肩部の一方の端から他方の端までの幅）よりも短い。そのため、洗濯直後の衣服を上記ハンガーに装着して乾燥させる場合、ハンガーの腕部の長さが衣服の肩部を全て支持できる長さとならず、どうしてもハンガーの腕部に支持されない部分が衣服の肩部に生じてしまう。上記支持されない部分が生じると、その部分から衣服の肩部は自重により垂れ下がってしまう。
【０００４】
上記垂れ下がりを説明するために、図１１には、洗濯直後の濡れたＴシャツが装着された従来のハンガーの使用状態を示す。従来のハンガーの腕部の幅では、当該ハンガーの腕部に支持されない部分８が洗濯直後の濡れたＴシャツ６の肩部に生じ、その部分から肩部の端までが垂れ下がる。上記支持されない部分８が垂れ下がると、上記肩部の端に接合している袖部も自重により垂れ下がり、当該袖部がＴシャツの胴部に接触することとなる。特に肩部と袖部の接合部のすぐ下の箇所である脇部９と垂れ下がった袖部とは接触しやすい。湿った衣服同士の接触は、水分を蒸発させる面積を狭くすることになるから、当然、接触部である脇部９と接触している垂れ下がった袖部とは水分が蒸発しにくく乾きにくい。そのことが、衣服を乾燥させる速度が遅くなる原因となっていた。また、上記袖部の垂れ下がりにより、Ｔシャツの肩部が地面方向に引っ張られてしまい、ハンガーの腕部と接触する当該Ｔシャツの襟の部分１０が広がる原因ともなっている。
【０００５】
上述のような状態でＴシャツの乾燥が終了すると、ハンガーの腕部により支持されている部分と垂れ下がった部分とにハンガーの腕部の跡がついてしまい、形崩れした、しわの多いＴシャツとなる。また、乾燥前のＴシャツの襟よりも乾燥後のＴシャツの襟の方が広がってしまう場合もある。
【０００６】
そこで、特許文献１には、左右一対の腕部と吊り具と当該吊り具の吊り下げ方向に対して傾斜して設けられたヒンジ部とを備えたハンガーが開示されている。左右一対の腕部が様々な角度で折りたたまれるため、上記とっくり衣服の襟を無理して広げる必要がなく、当該腕部がとっくり衣服の袖部を容易に通過し、当該とっくり衣服がハンガーに簡単に装着できるとしている。
【０００７】
また、特許文献２には、衣服の肩部と袖部とを支持する腕部が備えられており、当該腕部の一方が先鋭であるハンガーが開示されている。洗濯直後の衣服を当該ハンガーに掛けると、上記支持する腕部により衣服の肩部と袖部とにハンガーの跡が残らず、かつ、上記先鋭により衣服にきれいな折り目が付き、当該洗濯直後の衣服は仕上がりのよい衣服として乾燥できるとしている。
【特許文献１】特開２０００−２３２９３２号公報
【特許文献２】特開２００６−８７７８７号公報
【発明の開示】
【発明が解決しようとする課題】
【０００８】
ところが、特許文献１に記載の技術では、ハンガーの腕部がとっくり衣服の肩部に容易に通過できるような長さで構成されている。そのため、とっくり衣服の襟幅を無理して広げずにハンガーを装着できても、とっくり衣服を洗濯する際には、どうしてもとっくり衣服にハンガーの跡が残ってしまうという課題があった。
【０００９】
特許文献２に記載の技術では、ハンガーの跡は残らないが、ハンガー自体の構造が複雑で、とっくり衣服を当該ハンガーに容易に装着することができないという課題があった。
【００１０】
本発明は上記課題を解決するもので、洗濯直後のとっくり衣服をハンガーに装着させて乾燥させる際、洗濯直後のとっくり衣服を迅速に乾燥させ、当該とっくり衣服にハンガーの跡を残さないハンガーであり、とっくり衣服に容易に装着できるハンガーを提供することを目的とする。
【課題を解決するための手段】
【００１１】
上述した課題を解決し目的を達成するために、可撓性もしくは弾性材で左右一対の腕部をＶもしくはＵ字状に成型し、当該左右の腕部の連結部に、吊り下げ部のフック３ａを取り付けた構成とする。
【００１２】
上記左右一対の腕部は、可撓性部材もしくは弾性部材で成型されるようにするのが好ましい。また、上記吊り下げ用のフックの位置は、平面視で上記VまたはU字の両腕の中央の線上で連結部より先端側の位置、正面視では両腕より上の位置であるのが好ましい。
【００１３】
上記左右一対の腕部の連結部が、上記ＶもしくはＵ字状で形成される平面に対して垂直な軸で形成され、上記左右一対の腕部が当該軸に対して回動可能となるように連結される構成としてもよい。この場合、上記吊り下げ用のフックの位置が、平面視で上記VまたはU字の両腕の中央の線上で連結部２より先端側の位置、正面視では両腕より上の位置であり、上記フックと軸が一体に形成される。
【００１４】
上記腕部の長さが衣服の肩幅の半分の長さと袖丈とを加算した長さ以上とするのがこのましい。
【００１５】
上記構成によれば、一方の腕部が一方の衣服の袖部に通される際に、当該腕部は当該衣服の肩部と袖部とを支持できる十分な長さを有しているので、衣服の肩部から袖部までの部分は常に、自重で垂れ下がる部分のない、整った状態で乾燥される。その結果、垂れ下がりによって生じていた袖部と脇部との接触がなくなり、効率よく乾燥されるとともに、乾燥後の衣服は、形崩れせずにハンガーの跡がないきれいな仕上がりとなる。
【発明の効果】
【００１６】
本発明のハンガーによれば、左右一対の腕部をＶもしくはＵ字状に成型し、当該左右一対の腕部に衣服の両袖を掛けた際に上記両腕部が水平になる位置に、吊り下げ部のフックを配設している。
【００１７】
これにより、ハンガーの両腕の先端部を衣服の襟幅と同等に狭めて、衣服の両袖に容易に差し込むことができる。その結果、無理に衣服の襟幅を広げる必要がない。
【００１８】
また、本発明に係るハンガーによれば、上記左右一対の腕部が、可撓性部材もしくは弾性部材で成型されたことを特徴とする。
【００１９】
これにより、ハンガーの両腕の先端部が適度にたわむので、当該ハンガーの両腕の先端部をたわませて、当該ハンガーを衣服の両袖に容易に差し込むことができる。その結果、無理に衣服の襟幅を広げる必要がない。
【００２０】
また、上記腕部の長さが衣服の肩幅の半分の長さと袖丈とを加算した長さ以上であるので、一方の腕部が一方の衣服の袖部に通される際に、当該腕部は当該衣服の肩部と袖部とを支持できる十分な長さを有しているので、衣服の肩部から袖部までの部分は常に、自重で垂れ下がる部分のない、整った状態で乾燥される。その結果、垂れ下がりによって生じていた袖部と脇部との接触がなくなり、効率よく乾燥されるとともに、乾燥後の衣服は、形崩れせずにハンガーの跡がないきれいな仕上がりとなる。
【発明を実施するための最良の形態】
【００２１】
以下に本発明の実施形態に係るハンガーを図面に基づき詳細に説明する。
【００２２】
図１、図２、図３は本発明に係るハンガーの実施形態を示している。図１は、本実施形態のハンガーの構成を示す斜視図である。図２は、本実施形態のハンガーの構成を示す正面図である。図３は、本実施形態のハンガーの構成を示す上面図である。
【００２３】
図１、図２、図３に示すように、可撓性の材料で左右一対の腕部１ａ、１ｂが当該腕部１ａと１ｂとが交わる角度をωとしてＶ字状になるように成型されている。当該可撓性部材は一般的なハンガーに用いられる熱硬化性樹脂などを使用することができる。
【００２４】
また、上記左右一対の腕部１ａ、１ｂの連結部２には、竿などにハンガーを吊り下げるためのフック３ａを先端に備えた吊り下げ部３も設けられている。上記フック３ａは、平面視で上記V両腕の中央の線上で連結部２より先端側の位置、側面視では腕部１ａ、１ｂより上の位置に設けられる。また、上記吊り下げ部３は上記のように先端にフック３ａを備えるとともに、後端は上記Ｖ字の連結部２より立ち上げられた構成となっている。
【００２５】
上記フック３ａの位置は、洗濯済みの衣服を以下に説明するように当該ハンガーに装着したとき、当該腕部が地面とが平行になる位置となる。もっとも、衣服は種々の種類があるので、ここでは厳密な意味での“水平”を意味しない。
【００２６】
更に上記両腕部１ａ、１ｂの上面には、それぞれクリップ４が設けられ、掛けられた衣服の襟の部分を把持できるようになっている。すなわち、上記Ｖ字の連結部２より、クリップ材を腕部１ａ（１ｂ）の上面に沿ってＳ字状に湾曲して両腕部上面の表面に沿って延伸し、先端が両腕に対して開いた形状に形成されている。当該クリップ材は上記腕部１ａ、１ｂの材質と同じ材質を用いることでよい。
【００２７】
続いて、上記実施形態のハンガーの使用方法について説明する。
【００２８】
図４には、洗濯直後のＴシャツを本発明のハンガーに装着して当該Ｔシャツを乾燥させている状態を示す。洗濯直後のＴシャツを本発明のハンガーに装着する際、ハンガーの両腕の先端部を当該Ｔシャツの両袖に差し込める程度（Ｔシャツの襟幅よりも狭い幅）に手で狭めて（たわめて）、当該ハンガーを当該Ｔシャツに差し込む。上記両腕部がたわむことで、Ｔシャツの襟が無理に広げられることなく、ハンガーが容易にＴシャツに装着される。上記ハンガーの両腕部１ａ、１ｂがＴシャツの両袖に通った後、狭めたハンガーの両腕の先端部から手を離すと、当該ハンガーは元の状態（Ｖ字状）に戻る。上記ハンガーがＶ字状に戻った後、上記腕部に付属のクリップ４を用いてＴシャツの襟が固定され、上記洗濯直後のＴシャツが本発明のハンガーに装着されることとなる。Ｔシャツを装着したハンガーのフック３ａを竿に吊り下げると、当該ハンガーは、バランスを崩すことなく、竿に吊り下げられる。
【００２９】
もちろん、上記衣服の装着の逆の操作である衣服の取り外しも、本発明のハンガーでは容易に行われる。
【００３０】
上記実施形態における上記左右一対の腕部１ａ、１ｂは、可撓性部材であるが、可撓性部材よりも柔軟性を有する弾性部材で成型されていてもよい。
【００３１】
また、上記両腕部の形状をＶ字としたが、Ｖ字に近い形状のＵ字にしても効果は同じである。
【００３２】
また、上記実施形態では、左右一対の腕部と連結部２とが一体となるよう成形されているが、当該左右一対の腕部１ａ、１ｂを別体にし、当該腕部１ａ、１ｂを軸に対して回動自在に構成してもよい。すなわち、当該左右一対の腕部１ａ、１ｂが連結部２を構成する軸体に対して回動可能となるように、当該左右一対の腕部が当該連結部２で連結されても構わない。ここで、上記連結部２は、上記２つの腕部１ａ、１ｂに対して垂直の軸体とし、当該軸体にヒンジ、蝶番構造で腕部を取り付けるようにしてもよい。この場合、上記吊り下げ部３の下端と上記軸体の上端を連結した一体の棒状態で構成することも可能である。
【００３３】
上記腕部１ａ、１ｂの長さは、衣服の肩幅の半分の長さと袖丈とを加算した長さ以上であることが好ましい。図５には、Ｔシャツにおける衣服の寸法（具体的には、上記肩幅Ｘと上記袖丈Ｚ）を示した。上記肩幅Ｘとは、衣服の肩部の一方の端から他方の端までの幅のことである。上記肩幅の半分の長さＹは、衣服の中央線Ｗから一方の肩部の端までの長さに対応する。また、上記袖丈Ｚとは、肩部の端から袖口までの長さのことである。ハンガーの上記腕部の長さが衣服の肩幅の半分の長さと袖丈とを加算した長さ以上であることによって、一方のハンガーの腕部に一方の衣服の袖部を掛ける際に、当該一方の腕部が衣服の首部から肩部を通り袖口まで途切れることなく突き通ることになる。そのため、上記一方のハンガーの腕部が洗濯直後の濡れたとっくり衣服の肩部から袖部まで全て支持することとなり、袖部が自重により垂れ下がることがなくなる。その結果、衣服の袖部と脇部とが接触することもなく、効率よく乾燥される。また、乾燥後の衣服はハンガーの跡も付かずにきれいな状態の仕上がりとなる。
【００３４】
さらに、上記腕部１ａ、１ｂの長さは、長手方向に伸縮自在となるよう構成しても構わない。例えば、図６、図７に示すように、腕部１ａ、１ｂの部材に所定内径のパイプ１１ａ（１１ｂ）を用い、その先端に当該内径に符合する部材１２ａ（１２ｂ）を用いて挿抜可能にする。これによって、上記内径に符号する部材１２ａ（１２ｂ）が当該腕部１ａ（１ｂ）に対して長手方向に伸縮自在となる。上記構成により、袖部の長いとっくり衣服であっても、作業者は上記内径に符号する部材１２ａ（１２ｂ）を長手方向に伸張させて当該とっくり衣服をハンガーに掛けることが可能となる。もちろん、袖部の短いとっくり衣服でも、同様である。
【００３５】
上記吊り下げ部３とフック３ａとは一体となるよう構成されているが、フック３ａの下端部を軸３ｂとして、吊り下げ部３の上端部が当該軸３ｂの回転方向に回転自在になるよう構成されても構わない。すなわち、図８に示すように、上記軸３ｂを受ける軸受部３ｃを吊り下げ部３の上端部に設け、当該軸３ｂと当該軸受部３ｃとを連結させると、当該軸受部３ｃが当該軸３ｂの回転方向に回転自在となる。このとき、上記吊り下げ部３の下端は上記連結部２に固定した構成とする。上記構成により、竿に掛けたフック３ａの位置はそのままで、作業者は上記Ｖ字状の両腕部１ａ、１ｂに掛けられた衣服を回転させて当該衣服の向きを容易に変更することが可能となる。
【００３６】
上記クリップ４は、洗濯直後の濡れた衣服の襟を固定する固定手段として機能するよう構成されているが、一般的なクリップに用いられる洗濯ばさみ、ゼムクリップ、目玉クリップ、ターンクリップ、カーテンクリップなどを、紐で上記連結部のくくりつけるようにしてもよい。洗濯直後の衣服にハンガーを掛ける際に、上記固定手段により確実に襟が固定されるので、衣服の自重により当該衣服の肩部が地面方向に引っ張られ当該衣服の襟が広がることも無く、形崩れしないきれいな仕上がりの衣服を得ることができる。また、風などの影響で、ハンガーに装着している衣服が飛ばされたり落ちたりすることもない。
【００３７】
さらに、上記クリップ４は、上記連結部２から上記腕部１ａ（１ｂ）の上面方向に延伸しているが、本発明の目的を損なわない範囲で、側面や下面あるいは内面に沿って延伸していても、本発明の効果を奏する。
【００３８】
上述した実施形態では、連結部２が二つの腕部１ａ、１ｂを設けた構成であったが、他の実施形態として、例えば、図９に示すように、上記腕部１ａ、１ｂに加えて、上記連結部２が、側面視で上記腕部１ａ、１ｂとほぼ同じ位置で、平面視では上記Ｖ字状の中央線上に沿って当該連結部２から延伸するよう、さらに腕部１ｃを設けても構わない。これにより、ユーザが上記腕部１ａ、１ｂにとっくり衣服６を掛けるとともに、上記腕部１ｃに靴下７を掛けることが可能となる（図１０）。その結果、上記ハンガーは上記とっくり衣服６と上記靴下７とを同時に乾燥させることができる。さらに上記構成では、作業者が外部の人に見せずに干したいような女性用下着などを上記腕部１ｃに乾燥させる場合に特に有効である。
【産業上の利用可能性】
【００３９】
以上のように、本発明に係るハンガーは、市場で販売されるハンガーはもちろん、クリーニング産業など、洗濯を専門的に行う産業でも有用であり、洗濯直後の衣服を迅速に乾燥させ、当該衣服にハンガーの跡が残らず、衣服に容易に装着できる。
【図面の簡単な説明】
【００４０】
【図１】本実施形態のハンガーの構成を示す斜視図である。
【図２】本実施形態のハンガーの構成を示す側面図である。
【図３】本実施形態のハンガーの構成を示す上面図である。
【図４】本実施形態のハンガーの使用状態を示す図である。
【図５】Ｔシャツにおける衣服の寸法を示す図である。
【図６】腕部の長さが伸縮自在なハンガーの構成を示す斜視図である。
【図７】腕部の長さが伸縮自在なハンガーの構成を示す側面図である。
【図８】フックの下端部が軸として機能するハンガーの構成を示す斜視図である。
【図９】ハンガーの連結部に腕部が追加された当該ハンガーの構成を示す斜視図である。
【図１０】ハンガーの連結部に腕部が追加された当該ハンガーの使用状態を示す図である。
【図１１】従来のハンガーの使用状態を示す図である。
【符号の説明】
【００４１】
１ａ  右の腕部
１ｂ  左の腕部
１ｃ  中央の腕部
１１ａ  右の所定内径のパイプ
１１ｂ  左の所定内径のパイプ
１２ａ  右の内径に符合する部材
１２ｂ  左の内径に符合する部材
２  連結部
３  吊り下げ部
３ａ  吊り下げ部のフック
３ｂ  軸
３ｃ  軸受部
４  クリップ
５  従来のハンガー
６  洗濯直後の濡れたＴシャツ
７  洗濯直後の濡れた靴下
８  ハンガーの腕部に支持されない部分
９  脇部
１０  ハンガーの腕部と接触しているＴシャツの襟の部分
Ｗ  中央線
Ｘ  肩幅
Ｙ  肩幅の半分の長さ
Ｚ  袖丈
ω  両腕部が交わって形成する角度
【図１】
2008264246.tif 000003
【図２】
2008264246.tif 000004
【図３】
2008264246.tif 000005
【図４】
2008264246.tif 000006
【図５】
2008264246.tif 000007
【図６】
2008264246.tif 000008
【図７】
2008264246.tif 000009
【図８】
2008264246.tif 000010
【図９】
2008264246.tif 000011
【図１０】
2008264246.tif 000012
【図１１】
2008264246.tif 000013